(57)【要約】  摺動面に形成されたディンプルなどの窪み部分内に発生するキャビテーションに伴う筋状の流体の流れを制御することにより、摺動面の内・外周の差圧の大きさに関係することなく漏れを防止できる摺動部品を提供することを目的とする。   一対の摺動部品の互いに相対摺動する一方側の摺動面にディンプルが設けられ、前記ディンプル内のキャビテーション形成領域には方向性を備えた溝が設けられていることを特徴としている。
2014042045.tif 000002
【特許請求の範囲】
【請求項１】
一対の摺動部品の互いに相対摺動する一方側の摺動面にディンプルが設けられ、前記ディンプル内のキャビテーション形成領域には方向性を備えた溝が設けられていることを特徴とする摺動部品。 
【請求項２】
前記キャビテーション形成領域の少なくとも低圧流体側には前記方向性を備えた溝が設けられていることを特徴とする請求項１記載の摺動部品。 
【請求項３】
前記ディンプル内のキャビテーション形成領域以外の箇所には少なくとも高圧流体側に連通する連通溝が設けられていることを特徴とする請求項１または２記載の摺動部品。 
【請求項４】
前記ディンプル内のキャビテーション形成領域に設けられる前記方向性を備えた溝は、その方向が前記ディンプルの摺動方向の中心を境に当該摺動面の摺動方向に対して対称となるように形成されていることを特徴とする請求項１または２記載の摺動部品。 
【発明の詳細な説明】
【技術分野】
【０００１】
本発明は、たとえば、メカニカルシール、軸受、その他、摺動部に適した摺動部品に関する。特に、摺動面に流体を介在させて摩擦を低減させるとともに、摺動面から流体が漏洩するのを防止する必要のある密封環または軸受などの摺動部品に関する。 
【背景技術】
【０００２】
摺動部品の一例である、メカニカルシールにおいて、密封性を長期的に維持させるためには、「密封」と「潤滑」という相反する条件を両立させなければならない。特に、近年においては、環境対策などのために、被密封流体の漏れ防止を図りつつ、機械的損失を低減させるべく、より一層、低摩擦化の要求が高まっている。低摩擦化の手法としては、回転により摺動面間に動圧を発生させ、液膜を介在させた状態で摺動する、いわゆる流体潤滑状態とすることにより達成できる。しかしながら、この場合、摺動面間に正圧が発生するため、流体が正圧部分から摺動面外へ流出する。軸受でいう側方漏れであり、シールの場合の漏れに該当する。 【０００３】
液体シールにおいては、気体より粘度が大きいため、平面同士であっても面の微小なうねりや粗さの凹凸等により動圧効果が得られる。このため、密封性能を優先した構造を採用することが多い。一方、密封と潤滑を両立させるために、漏れた液体を高圧側に引き戻す、ポンピング効果を有した機構もいくつか考案されている。たとえば、特許文献１には、回転リングの軸封面に流体を高圧室側へ移送するらせん溝が円周方向に複数設けられた発明が開示されている。 【０００４】
また、摺動部品に関する発明として、摺動面の被密封流体側に形成された吸込手段により、摺動面に被密封流体を導入し、この導入した被密封流体を摺動面に形成された径方向外周側及び径方向内周側の２つのディンプル部にダム部を介して被密封流体を蓄積すると同時に径方向内周側のディンプル部においてポンピングさせることにより、２つのディンプル部より径方向内周側に位置するシール面から被密封流体が漏洩するのを防止するようにした発明が知られている（特許文献２参照）。 【０００５】
しかしながら、上記特許文献１及び２に記載の発明では、シールなどの摺動面の内・外周に圧力差がある場合、圧力に対抗したポンピング作用が必要となり、圧力の大きさによっては流体を押し戻すことができない場合がある。このため、圧力差が小さい場合には漏れを防止することは可能であるが、圧力差が大きい場合には漏れ量は多くならざるを得ないという問題があった。 
【先行技術文献】
【特許文献】
【０００６】
【特許文献１】特開平８−２７７９４１号公報（第５頁、図６）
【特許文献２】特開２００５−１８０６５２号公報
【発明の概要】
【発明が解決しようとする課題】
【０００７】
一般的なメカニカルシールのように、２部品の各摺動面が平滑面で構成される場合、摺動面間には、被密封流体による膜だけでなく、流体中に発生したキャビテーションによる相が形成されることが知られている（Ｈａｍｉｌｔｏｎ，Ｗａｌｏｗｉｔ，Ａｌｌｅｎ ： Ａ． Ｓ． Ｍ． Ｅ． Ｐａｐｅｒ Ｎｏ． ６５−Ｌｕｂ−１１（１９６５）参照）。すなわち、摺動面間には、液体（被密封流体）により構成される相（以下、液相と称する）と、気体により構成される相（以下、気相と称する）が形成される。 
また、図１に示すように、摺動面Sに形成されたディンプルなどの窪み部分１０には、キャビテーションに伴う筋状の流体の流れ２０が生じることが一般的に知られている。 【０００８】
本発明は、摺動面に形成されたディンプルなどの窪み部分（本明細書においては「ディンプル」という。）内に発生するキャビテーションに伴う筋状の流体の流れを制御することにより、摺動面の内・外周の差圧の大きさに関係することなく漏れを防止できる摺動部品を提供することを目的とするものである。 
【課題を解決するための手段】
【０００９】
〔原理〕 
本発明者は、メカニカルシール等の摺動面におけるディンプルの流体潤滑作用に関する研究を行う中で、図２に示すように、摺動面に形成されたディンプルの底面に方向性をもった溝３０を設置すると、ディンプル１０内に発生するキャビテーション領域の筋状の流体の流れ２０の方向を変更または制御することができるという知見を得た。これは、キャビテーション内部は液体と比較し粘性の十分に小さい気体で満たされるため、流動性がよく、キャビテーション内部の圧力は一定となり、摺動面の内・外周の差圧に関係することなく、キャビテーション内部の筋状流れが制御されると考えられるものである。 
すなわち、ディンプル１０の底面に方向性をもった溝３０が存在する場合、溝３０のエッジ部分４０が幾何学的な障壁として気液界面に作用し、筋状の流体の流れ２０が溝３０上を通過する移動を妨げ、この結果、筋状の流体の流れ２０は溝３０のエッジ部分４０に沿って一定程度移動し、キャビテーション内部の筋状流れが制御されると考えられるものである。 
なお、エッジ部分の幾何学的な障壁作用については、本出願人による特許出願である特開２０１１−１８５２９２号公報に詳しく記載されている。 【００１０】
〔手段〕 
上記目的を達成するため本発明の摺動部品は、第１に、一対の摺動部品の互いに相対摺動する一方側の摺動面にディンプルが設けられ、前記ディンプル内のキャビテーション形成領域には方向性を備えた溝が設けられていることを特徴としている。 
この特徴によれば、ディンプル内に発生するキャビテーションに伴う筋状の流体の流れを制御することができ、摺動面の内・外周の差圧の大きさに関係することなく漏れを防止できる。詳述すると、キャビテーション内部は液体と比較し粘性の十分に小さい気体で満たされるため、流動性がよく、キャビテーション内部の圧力は一定となり、摺動面の内・外周の差圧に関係することなく、キャビテーション内部の筋状流れが制御され、ディンプル内に方向性を備えた溝が存在する場合、該溝のエッジ部分が幾何学的な障壁として気液界面に作用し、筋状の流体の流れが溝上を通過する移動を妨げ、この結果、筋状の流体の流れは溝のエッジ部分に沿って一定程度移動するため、キャビテーション内部の筋状流れが制御され、漏れが防止されるものである。 【００１１】
また、本発明の摺動部品は、第２に、第１の特徴において、前記キャビテーション形成領域の少なくとも低圧流体側には前記方向性を備えた溝が設けられていることを特徴としている。 
この特徴によれば、方向性を備えた溝による筋状の流体の流れの制御は少なくともディンプルの低圧流体側では行われるので、低圧流体側への漏洩を防止することができる。 【００１２】
また、本発明の摺動部品は、第３に、第１または第２の特徴において、前記ディンプル内のキャビテーション形成領域以外の箇所には少なくとも高圧流体側に連通する連通溝が設けられていることを特徴としている。 
この特徴によれば、ディンプルの下流側の正圧が開放されるため、上流側の圧力が低下し、上流側においてキャビテーションが発生され易くなり、キャビテーション形成領域がディンプルの下流側の近くまで形成されることになり、キャビテーション形成領域による筋状の流体の流れの方向をより一層制御することが可能になる。また、正圧領域に流れ込んだ流体を高圧流体側に戻すことができる。 【００１３】
また、本発明の摺動部品は、第４に、第１または第２の特徴において、前記ディンプル内のキャビテーション形成領域に設けられる前記方向性を備えた溝は、その方向が前記ディンプルの摺動方向の中心を境に当該摺動面の摺動方向に対して対称となるように形成されていることを特徴としている。 
この特徴によれば、相手側摺動面の回転方向が正逆の両方向の場合でも、当該摺動部品を交換をすることなく対応できる。 
【発明の効果】
【００１４】
本発明は、以下のような優れた効果を奏する。 
（１）一対の摺動部品の互いに相対摺動する一方側の摺動面にディンプルが設けられ、ディンプル内のキャビテーション形成領域には方向性を備えた溝が設けられていることにより、ディンプル内に発生するキャビテーションに伴う筋状の流体の流れを制御することができ、摺動面の内・外周の差圧の大きさに関係することなく漏れを防止できる。 【００１５】
（２）キャビテーション形成領域の少なくとも低圧流体側には方向性を備えた溝が設けられていることにより、該溝による筋状の流体の流れの制御は少なくともディンプルの低圧流体側では行われるので、低圧流体側への漏洩を防止することができる。 【００１６】
（３）ディンプル内のキャビテーション形成領域以外の箇所には少なくとも高圧流体側に連通する連通溝が設けられていることにより、ディンプルの下流側の正圧が開放されるため、上流側の圧力が低下し、上流側においてキャビテーションが発生され易くなり、キャビテーション形成領域がディンプルの下流側の近くまで形成されることになり、キャビテーション形成領域による筋状の流体の流れの方向をより一層制御することが可能になる。また、正圧領域に流れ込んだ流体を高圧流体側に戻すことができる。 【００１７】
（４）ディンプル内のキャビテーション形成領域に設けられる方向性を備えた溝は、その方向がディンプルの摺動方向の中心を境に当該摺動面の摺動方向に対して対称となるように形成されていることにより、相手側摺動面の回転方向が正逆の両方向の場合でも、当該摺動部品を交換をすることなく対応できる。 
【図面の簡単な説明】
【００１８】
【図１】摺動面に形成されたディンプルに生じるキャビテーションに伴う筋状の流体の流れを説明する図である。
【図２】摺動面に形成されたディンプルの底面に方向性をもった溝を設置すると、ディンプル内に発生するキャビテーション領域の筋状の流体の流れの方向が変更されることを説明する図である。
【図３】本発明の実施例に係るメカニカルシールの一例を示す縦断面図である。
【図４】本発明の実施例１に係る摺動部品の摺動面を示したものであって、（ａ）はディンプルの形状が四辺形の場合を、また、（ｂ）はディンプルの形状が円形の場合を示している。
【図５】（ａ）はディンプルの下流側の狭まり隙間（段差）からなる正圧発生機構を、（ｂ）はディンプルの上流側の拡がり隙間（段差）からなる負圧発生機構を、説明するための図である。
【図６】本発明の実施例１に係り、ディンプルのキャビテーション形成領域の底面に方向性を備えた溝が設けられた場合の一例を示す要部の平面図である。
【図７】本発明の実施例２に係り、ディンプルのキャビテーション形成領域以外の箇所に高圧流体側等に連通する連通溝が設けられた場合の一例を示す要部の平面図である。
【図８】本発明の実施例３に係り、ディンプルのキャビテーション形成領域に設けられる方向性を備えた溝がディンプルの摺動方向の中心を境に当該摺動面の摺動方向に対して対称となるように形成された場合の一例を示す要部の平面図である。
【発明を実施するための形態】
【００１９】
以下に図面を参照して、この発明を実施するための形態を、実施例に基づいて例示的に説明する。ただし、この実施例に記載されている構成部品の寸法、材質、形状、その相対的配置などは、特に明示的な記載がない限り、本発明の範囲をそれらのみに限定する趣旨のものではない。   
【実施例１】
【００２０】
図３ないし図６を参照して、本発明の実施例１に係る摺動部品について説明する。 
なお、本実施例においては、メカニカルシールを構成する部品が摺動部品である場合を例にして説明する。     
図３は、メカニカルシールの一例を示す縦断面図であって、摺動面の外周から内周方向に向かって漏れようとする高圧流体側の被密封流体を密封する形式のインサイド形式のものであり、高圧流体側のポンプインペラ（図示省略）を駆動させる回転軸１側にスリーブ２を介してこの回転軸１と一体的に回転可能な状態に設けられた円環状の回転環３と、ポンプのハウジング４に非回転状態かつ軸方向移動可能な状態で設けられた円環状の固定環５とが、この固定環５を軸方向に付勢するコイルドウェーブスプリング６及びベローズ７によって、ラッピング等によって鏡面仕上げされた摺動面Ｓ同士で密接摺動するようになっている。すなわち、このメカニカルシールは、回転環３と固定環５との互いの摺動面Ｓにおいて、被密封流体が回転軸１の外周から大気側へ流出するのを防止するものである。 【００２１】
図４は、本発明の実施例１に係る摺動部品の摺動面を示したもので、図３の固定環５の摺動面にディンプルが形成された場合を例にして説明する。 【００２２】
図４（ａ）において、摺動面Ｓには四辺形のディンプル１０が周方向に複数設けられている。ディンプル１０は、高圧流体側及び低圧流体側とは連通しておらず、また、各ディンプル１０は相互に独立して設けられている。ディンプル１０の数、面積及び深さは、固定環５の直径及び面幅並びに高圧流体側と低圧流体側との差圧等の条件により最適な値に設定されるが、面積が大きく、深さの浅いディンプルの方が流体潤滑作用及び液膜形成の点で好ましい。 
なお、図４（ａ）では、ディンプル１０の形状は、内径側及び外径側の２つの片が固定環５の中心を中心とする円弧状をなし、周方向の上流側及び下流側の２つの片が直線である場合を示しているが、長方形、正方形、多角形でもよく、特に限定されない。 【００２３】
図４（ｂ）には、ディンプル１１が円形状の場合が示され、周方向に複数設けられている。図４（ａ）と同じく、ディンプル１１は、高圧流体側及び低圧流体側とは連通しておらず、また、各ディンプル１１は相互に独立して設けられている。ディンプル１１は、径が大きく浅いものが好ましいが、ディンプル１１の大きさ及び深さは、流体の粘度や作動させる速度や膜圧に依存するものであり、種々の条件を総合的に考慮して設計的に決定されるものであるため、一律に規定することは難しい。 【００２４】
ここで、図５を参照しながら、本発明におけるディンプルを設けた場合の正圧発生機構及び負圧発生機構について説明する。 
図５（ａ）において、矢印で示すように、固定環５に対して回転環３が反時計方向に回転移動するが、固定環５の摺動面Ｓにディンプル１０、１１が形成されていると、該ディンプル１０、１１の下流側には狭まり隙間（段差）１２が存在する。相対する回転環３の摺動面は平坦である。 
回転環３が矢印で示す方向に相対移動すると、回転環３及び固定環５の摺動面間に介在する流体が、その粘性によって、回転環３の移動方向に追随移動しようとするため、その際、狭まり隙間（段差）１２の存在によって破線で示すような動圧（正圧）が発生される。 【００２５】
図５（ｂ）においては、矢印で示すように、固定環５に対して回転環３は反時計方向に回転移動するが、固定環５の摺動面Ｓには、ディンプル１０、１１が形成されていると、ディンプル１０、１１の上流側には拡がり隙間（段差）１３が存在する。相対する回転環３の摺動面は平坦である。 
回転環３が矢印で示す方向に相対移動すると、回転環３及び固定環５の摺動面間に介在する流体が、その粘性によって、回転環３の移動方向に追随移動しようとするため、その際、拡がり隙間（段差）１３の存在によって破線で示すような動圧（負圧）が発生される。 
このため、ディンプル１０、１１内の上流側には負圧が発生し、下流側には正圧が発生することになる。そして、上流側の負圧発生領域にはキャビテーションが発生する。 【００２６】
図６は、ディンプルのキャビテーション形成領域の底面に方向性を備えた溝が設けられた場合の一例を示す要部の平面図である。 
固定環５の摺動面Ｓには四辺形のディンプル１０が周方向に複数設けられ、ディンプル１０は、高圧流体側及び低圧流体側とは連通しておらず、また、各ディンプル１０は相互に独立して設けられている。 【００２７】
固定環５に対して相手側摺動面（回転環３の摺動面）が反時計方向に回転移動すると、ディンプル１０の上流側にはキャビテーションが発生し、符号１４で示すキャビテーション領域が形成される（以下、「キャビテーション形成領域１４」という。）。そして、ディンプル１０内のキャビテーション形成領域１４には方向性を備えた溝１５が設けられている。該方向性を備えた溝１５の設けられる範囲は、キャビテーション形成領域１４の全部でも一部でもよい。また、方向性を備えた溝１５はディンプル１０の底部に形成されるものであり、その幅及び深さは、特に限定されないが、先の課題を解決するための手段の（原理）の欄において説明したように、方向性を備えた溝１５のエッジ部分が幾何学的な障壁として気液界面に作用し、筋状の流体の流れが方向性を備えた溝１５上を通過する移動を妨げられるものであればよい。 【００２８】
また、溝１５の方向性は、流体をどのように制御するかにより決められるものであり、図６においては、ディンプル１０内の流体を高圧流体側に押し戻し、低圧流体側に漏洩させないようにするため、内径側から外径側に向かって反時計方向に傾斜している。先に説明したように、キャビテーション内部は液体と比較し粘性の十分に小さい気体で満たされ、流動性がよく、キャビテーション内部の圧力は一定となり、摺動面Ｓの内・外周の差圧に関係することなく、筋状の流れが制御されるものであるので、溝１５が図６に示すような方向性を持った場合、キャビテーション形成領域１４に設けられた溝１５により、ディンプル１０内の筋状の流体の流れは上流側の最初の溝１５のエッジ部分に沿って一定程度移動し、次に、２番目の溝１５のエッジ部分に沿って一定程度移動することを順次繰り返し、二重線で示すように、高圧流体側に押し戻されるように制御される。 
なお、方向性を備えた溝１５のピッチｐは設計的に最適な値に設定されればよく、特に限定されない。 【００２９】
方向性を備えた溝１５は、図６（ａ）に示されるものでは、ディンプル１０は、低圧流体側から高圧流体側の径方向の全域に設けられているのに対し、図６（ｂ）に示されるものでは、低圧流体側にのみ設けられている。図６（ａ）では、方向性を備えた溝１５による筋状の流体の流れの制御はディンプル１０の低圧流体側から高圧流体側の径方向の全域で行われるが、図６（ｂ）では、方向性を備えた溝１５による筋状の流体の流れの制御はディンプル１０の低圧流体側で行われる。低圧流体側と高圧流体側との差圧が大きい場合には、図６（ａ）に示されるような方向性を備えた溝１５が低圧流体側から高圧流体側の径方向の全域に設けられるものが望ましいが、低圧流体側と高圧流体側との差圧が小さい場合には、図６（ｂ）に示されるような方向性を備えた溝１５が低圧流体側にのみ設けられるものでも漏洩を防止できる。 
なお、方向性を備えた溝１５は、低圧流体側にのみ設けられる場合に限らず、高圧流体側にのみ、あるいは、径方向の中央にだけ設けられてもよく、要するに、差圧などの大きさに応じて、方向性を備えた溝１５を設ける部分を適宜選択すればよい。 
【実施例２】
【００３０】
図７は、本発明の実施例２に係り、ディンプルのキャビテーション形成領域以外の箇所に高圧流体側等に連通する連通溝が設けられた場合の一例を示す要部の平面図である。 
なお、図７において、実施の形態１の符号と同じ符号は実施例１と同じ部材を示しており、重複する説明は省略する。 【００３１】
図７（ａ）において、ディンプル１０内の上流側においてはキャビテーション形成領域１４が、またそれ以外の箇所、すなわち、下流側においては動圧が発生し、正圧領域１６が形成されている。そして、正圧領域１６には高圧流体側に連通する連通溝１７が設けられている。連通溝１７の深さはディンプル１０の窪み深さと同じかそれ以上の深さである。また、連通溝１７の幅は正圧を開放するために十分なものである。 【００３２】
ディンプル１０の下流側の正圧領域１６に、高圧流体側に連通する連通溝１７が設けられると、ディンプル１０の下流側の正圧が開放されるため、上流側の圧力が低下し、上流側においてキャビテーションが発生され易くなる。そのため、キャビテーション形成領域１４がディンプル１０の下流側の近くまで形成されることになり、キャビテーション形成領域１４による筋状の流体の流れの方向をより一層制御することが可能になる。また、正圧領域１６に流れ込んだ流体を高圧流体側に戻すことができる。 【００３３】
図７（ｂ）では、正圧領域１６には高圧流体側に連通する逆Ｌ字状の連通溝１８が設けられている。この逆Ｌ字状の連通溝１８は、正圧領域１６の他、キャビテーション形成領域１４の下流側の一部分とも連通している。このため、ディンプル１０の下流側の正圧がより一層開放され、キャビテーション形成領域１４による筋状の流体の流れの方向をより一層制御することができる。また、キャビテーション形成領域１４の下流側の近くまで流れ込んだ流体及び正圧領域１６に流れ込んだ流体を高圧流体側に戻すことができる。 【００３４】
図７（ｃ）では、正圧領域１６には高圧流体側に連通する連通溝１７及び低圧流体側に連通する連通溝１９が設けられている。このため、ディンプル１０の下流側の正圧が低圧側の圧力近くまで開放されることになり、キャビテーション形成領域１４による筋状の流体の流れの方向をより一層制御することができる。 
なお、正圧領域１６に流れ込んだ流体は低圧流体側に流され易いため、シール装置に本例を適用した場合、漏洩につながり好ましくないと考えられるが、軸受などの場合には多少の漏れは許容されるものであり、潤滑性能の向上にが見込まれるため、軸受を含む摺動部品全般においては適用可能である。 
【実施例３】
【００３５】
図８は、本発明の実施例３に係り、ディンプルのキャビテーション形成領域に設けられる方向性を備えた溝がディンプルの摺動方向の中心を境に当該摺動面の摺動方向に対して対称となるように形成された場合の一例を示す要部の平面図である。 
なお、図８において、実施の形態１の符号と同じ符号は実施例１と同じ部材を示しており、重複する説明は省略する。 【００３６】
実施例１及び２に示した摺動部品では、回転方向が一方向の場合にしか適用できないが、実施例３では、回転方向が両方向の場合にも適用可能とするものである。 
図８において、ディンプル１０内のキャビテーション形成領域に設けられる方向性を備えた溝１５、１５’は、その方向がディンプル１０の摺動方向の中心を通る半径線Ｏ−Ｏを境に当該摺動面の摺動方向に対して対称となるように形成されている。図６及び図７では、キャビテーション形成領域１４はディンプル１０の上流側から半分以上に亘って形成されるように設定されているが、図８では、キャビテーション形成領域１４はディンプル１０の上流側の半分程度しか形成されないように設定され、相手摺動面の回転方向が時計方向に逆転した場合でも、キャビテーション形成領域１４はディンプル１０の上流側の半分程度に形成されるように設定されている。例えば、ディンプル１０の周方向の長さを大きくするとか、ディンプル１０の深さを浅くして負圧発生領域を周方向に短く形成するように設定するのも１つの手法である。また、キャビテーション形成領域１４が半径線Ｏ−Ｏより下流側に延長して形成されたとしても、上流側において外径方向に制御された筋状の流体の流れは下流側の反対の方向性を持った溝１５’の上を通ることがないため、筋状の流体の流れの制御に影響はなく、所望の制御ができる。 【００３７】
図８の場合、ディンプル１０の上流側の約半分ではキャビテーション形成領域１４が形成され、下流側の約半分では正圧領域１６が形成されることになり、キャビテーション形成領域１４における方向性を備えた溝１５は流体の筋状の流れを高圧流体側に向かうように作用するが、正圧領域１６における方向性を備えた溝１５’は流体の筋状の流れを低圧流体側に向かう方向に作用するため、漏洩につながりやすいことが考えられる。しかし、本例の場合、キャビテーション形成領域１４において流体は高圧流体側に向かうように制御され、正圧領域１６に流れ込む流体の量は少なく、圧力も大きくならないことから、万一、一部の流体が低圧流体側に向かうとしても低圧流体側に至る過程で摺動面Ｓでシールされるので、漏洩の恐れはない。 【００３８】
以上、本発明の実施例を図面により説明してきたが、具体的な構成はこれら実施例に限られるものではなく、本発明の要旨を逸脱しない範囲における変更や追加があっても本発明に含まれる。 【００３９】
例えば、前記実施例では、摺動部品をメカニカルシール装置における一対の回転用密封環及び固定用密封環のいずれかに用いる例について説明したが、円筒状摺動面の軸方向一方側に潤滑油を密封しながら回転軸と摺動する軸受の摺動部品として利用することも可能である。 【００４０】
また、例えば、前記実施例では、外周側に高圧の被密封流体が存在する場合について説明したが、内周側が高圧流体の場合にも適用でき、その場合、方向性を備えた溝の方向を逆に配設すればよい。 【００４１】
また、例えば、前記実施例では、ディンプルの形状が四辺形の場合について主として説明したが、ディンプルの形状は四辺形に限らず、円形、楕円形、多角形でもよい。 
【符号の説明】
【００４２】
１      回転軸 
２      スリーブ 
３      回転環 
４      ハウジング 
５      固定環 
６      コイルドウェーブスプリング 
７      ベローズ 
１０     ディンプル 
１１     ディンプル 
１２     レイリーステップ 
１３     逆レイリーステップ 
１４     キャビテーション形成領域 
１５     方向性を備えた溝 
１６     正圧領域 
１７     連通溝 
１８     連通溝 
１９     連通溝 
【図１】
2014042045.tif 000003
【図２】
2014042045.tif 000004
【図３】
2014042045.tif 000005
【図４】
2014042045.tif 000006
【図５】
2014042045.tif 000007
【図６】
2014042045.tif 000008
【図７】
2014042045.tif 000009
【図８】
2014042045.tif 000010
【国際調査報告】
2014042045.tif 000011
2014042045.tif 000012
2014042045.tif 000013
2014042045.tif 000014